(57)【要約】【課題】  電力の使用効率が向上された燃料電池システムを提供する。【解決手段】  燃料電池システムは、カソードに供給されたメディエータを、アノードに供給された燃料ガスで還元することにより発電する燃料電池と、前記燃料ガスで還元された前記メディエータを酸化剤ガスで酸化して前記カソードに供給する再生装置と、前記再生装置に前記酸化剤ガスを供給する供給装置と、前記燃料電池から前記再生装置に導入される前記メディエータの電位を検出する電位検出部と、前記電位が０．９（Ｖ（ｖｓ．ＲＨＥ））以上である場合、前記供給装置に前記酸化剤ガスの供給を停止させる制御装置とを備える。【選択図】図１
2018125083.tif 000002
【特許請求の範囲】
【請求項１】
カソードに供給されたメディエータを、アノードに供給された燃料ガスで還元することにより発電する燃料電池と、
前記燃料ガスで還元された前記メディエータを酸化剤ガスで酸化して前記カソードに供給する再生装置と、
前記再生装置に前記酸化剤ガスを供給する供給装置と、
前記燃料電池から前記再生装置に導入される前記メディエータの電位を検出する電位検出部と、
前記電位が０．９（Ｖ（ｖｓ．ＲＨＥ））以上である場合、前記供給装置に前記酸化剤ガスの供給を停止させる制御装置とを備える燃料電池システム。
【発明の詳細な説明】
【技術分野】
【０００１】
本発明は、燃料電池システムに関する。
【背景技術】
【０００２】
例えば特許文献１及び２に開示されているようなレドックスフロー型の燃料電池システムが知られている。レドックス（RedOx: Reduction / Oxidation）とは、還元及び酸化のことである。
【０００３】
この燃料電池システムは、燃料電池のカソードと再生装置との間で、ポリオキソメタレート（ＰＯＭ:polyoxometalate）などのメディエータ（酸化還元物質）を含むカソード溶液を循環させることにより、カソードにおける酸化還元反応を実現する。メディエータは、カソードにおいて還元された後、再生装置で酸化されることにより再生されて、カソードに再供給される。
【先行技術文献】
【特許文献】
【０００４】
【特許文献１】特開２０１６−１０３４０５号公報
【特許文献２】特開２０１６−９５７３号公報
【発明の概要】
【発明が解決しようとする課題】
【０００５】
メディエータを酸化するためには、例えばエアコンプレッサから再生装置に酸素を供給する必要があり、その供給によって燃料電池システムの電力が消費される。このため、再生装置におけるメディエータの酸化効率が低いほど、燃料電池システムの電力の使用効率が低下する。
【０００６】
そこで本発明は上記の課題に鑑みてなされたものであり、電力の使用効率が向上された燃料電池システムを提供することを目的とする。
【課題を解決するための手段】
【０００７】
本明細書に記載の燃料電池システムは、カソードに供給されたメディエータを、アノードに供給された燃料ガスで還元することにより発電する燃料電池と、前記燃料ガスで還元された前記メディエータを酸化剤ガスで酸化して前記カソードに供給する再生装置と、前記再生装置に前記酸化剤ガスを供給する供給装置と、前記燃料電池から前記再生装置に導入される前記メディエータの電位を検出する電位検出部と、前記電位が０．９（Ｖ（ｖｓ．ＲＨＥ））以上である場合、前記供給装置に前記酸化剤ガスの供給を停止させる制御装置とを備える。
【発明の効果】
【０００８】
本発明によれば、燃料電池システムの電力の使用効率を向上することができる。
【図面の簡単な説明】
【０００９】
【図１】燃料電池システムの一例を示す構成図である。
【図２】酸化還元電位に対する再生装置内の移動電荷量の変化の一例を示すグラフである。
【図３】酸化前の酸化還元電位に対する酸化後の酸化還元電位の基準電位に対する比の一例を示すグラフである。
【図４】ＥＣＵの動作の一例を示すフローチャートである。
【発明を実施するための形態】
【００１０】
図１は、燃料電池システムの一例を示す構成図である。燃料電池システムは、レドックスフロー型であり、例えば自動車などの車両に搭載され、車両を駆動するモータに電力ＰＷを供給する。
【００１１】
燃料電池システムは、電子制御ユニット（ECU: Electronic Control Unit）１０と、水素タンク１１と、燃料ガス調圧弁１２と、燃料電池１３と、パージ弁１４と、燃料ガス循環ポンプＰｈと、ＯＲＰ（Oxidation-Reduction Potential）計２０と、再生装置２１と、吸光度計２２と、流量計３０と、溶液循環ポンプＰｏと、エアコンプレッサＣと、電流センサＡｍとを有する。また、燃料電池システムは、燃料ガス供給路Ｒ１０と、燃料ガス排出路Ｒ１１と、再循環経路Ｒ１２と、溶液供給路Ｒ２０と、溶液排出路Ｒ２１と、酸化剤ガス供給路Ｒ３０と、酸化剤ガス排出路Ｒ３１とを有する。
【００１２】
燃料電池１３には、燃料ガスの一例である水素ガスを供給するための燃料ガス供給路Ｒ１０と、発電に使用した水素ガスを排出するための燃料ガス排出路Ｒ１１とが接続されている。燃料ガス供給路Ｒ１０には、水素タンク１１及び燃料ガス調圧弁１２が接続されている。
【００１３】
水素タンク１１は、水素ガス（Ｈ２）を供給する装置であり、内部に水素ガスを高圧の状態で貯留している。水素ガスは、水素タンク１１から燃料ガス調圧弁１２を経由して燃料電池１３のアノードに導入される。水素ガスは、燃料ガス調圧弁１２を通過することで圧力が調整される。
【００１４】
燃料電池１３から排出された水素ガス（つまりオフガス）は、燃料ガス排出路Ｒ１１に導かれる。燃料ガス排出路Ｒ１１の途中には、パージ弁１４が設けられている。パージ弁１４は、通常、閉塞されているが、燃料ガス排出路Ｒ１１から水素ガスをパージするときに開放される。
【００１５】
燃料ガス排出路Ｒ１１からは、再循環経路Ｒ１２が分岐している。分岐した再循環経路Ｒ１２は、燃料ガス供給路Ｒ１０に接続されている。再循環経路Ｒ１２には燃料ガス循環ポンプＰｈが設けられており、燃料ガス循環ポンプＰｈは、燃料ガス排出路Ｒ１１に排出された水素ガスを、再循環経路Ｒ１２を経由して燃料ガス供給路Ｒ１０に導く。再循環経路Ｒ１２から燃料ガス供給路Ｒ１０に導かれた水素ガスは、燃料電池１３に再供給される。
【００１６】
燃料電池１３のアノードには水素ガスが供給され、燃料電池１３のカソードには、メディエータの一例であるＰＯＭ（ポリオキソメタレート）を含むカソード溶液が供給される。燃料電池１３は、複数の単セルの積層体（スタック）として構成され、各単セルは、アノード電極１３ａ、カソード電極１３ｃ、及びアノード電極１３ａとカソード電極１３ｃとに挟まれた電解質膜１３ｂを備える。
【００１７】
電解質膜１３ｂは、例えば、固体高分子材料としてのフッ素系スルホン酸ポリマにより形成された高分子電解質膜であり、湿潤状態において良好なプロトン電導性を有する。アノード電極１３ａ及びカソード電極１３ｃは、例えば多孔質構造を有し、圧力損失が抑制され、かつ、反応面積が大きい構造であることが望ましい。アノード電極１３ａには白金触媒が備えられており、アノード電極１３ａに供給された水素ガスは、白金触媒によりプロトン（水素イオン）に変化する。
【００１８】
一方、カソード電極１３ｃと再生装置２１の間には、ＰＯＭを含むカソード溶液が循環している。ＰＯＭは、バナジウム、モリブデン、及びタングステンなどを含む化合物である。ＰＯＭの化学式は、例えばＸＭ１１２−ｍＭ２ｍＯ４０ｎ―で表される。ここで、Ｘは例えばＰ，Ｓｉ，Ｓ，Ｇｅであり、Ｍ１は例えばＭｏ，Ｗであり、Ｍ２は例えばＶである。また、ｍは１〜１２である。
【００１９】
カソード溶液内のＰＯＭは、カソード電極１３ｃにおいて、アノード電極１３ａから移動してきたプロトンと結合することにより還元されてＰＯＭ−Ｈ（還元体）に変化する。より具体的には、カソード電極１３ｃにおいて、ＰＯＭ＋ｅ−＋Ｈ＋→ＰＯＭ−Ｈで表される反応が生ずる。なお、ｅ−は電子を表す。
【００２０】
このように、燃料電池１３は、カソードに供給されたＰＯＭを、アノードに供給された水素ガスで還元されることにより発電する。発電により得られた電力ＰＷは、例えば車両を駆動するモータなどに供給される。
【００２１】
燃料電池１３には、燃料電池１３から出力される電流の電流値を測定する電流センサＡｍが接続されている。
【００２２】
燃料電池１３と再生装置２１の間には、再生装置２１から燃料電池１３にカソード溶液を供給するための溶液供給路Ｒ２０と、発電に使用されたカソード溶液を燃料電池１３から再生装置２１に排出するための溶液排出路Ｒ２１とが接続されている。溶液排出路Ｒ２１には、燃料電池１３と再生装置２１の間でカソード溶液を循環させるための溶液循環ポンプＰｏと、ＯＲＰ計２０と、吸光度計２２とが接続されている。
【００２３】
ＯＲＰ計２０は、検出部の一例であり、燃料電池１３からの溶液排出路Ｒ２１を介し再生装置２１に導入されるＰＯＭの酸化還元電位を検出する。なお、酸化還元電位は電位の一例である。吸光度計２２は、溶液排出路Ｒ２１を流れるカソード溶液に光を照射することによりカソード溶液の吸光度を測定する。吸光度は、カソード溶液を透過した光の量（あるいは透過率）から得られる。
【００２４】
再生装置２１は、カソードにおいて水素ガスで還元されたＰＯＭをエアコンプレッサＣから圧送された空気（酸素）で酸化する。再生装置２１では、Ｏ２＋４ＰＯＭ−Ｈ→２Ｈ２Ｏ＋４ＰＯＭで表される酸化反応が行われる。再生装置２１は、酸化されたＰＯＭを含むカソード溶液を、溶液供給路Ｒ２０を介し燃料電池１３のカソードに供給する。なお、空気は酸化剤ガスの一例である。
【００２５】
溶液循環ポンプＰｏは、燃料電池１３のカソードと再生装置２１の間にカソード溶液の循環流を発生させることにより、燃料電池１３から排出されたカソード溶液を再生装置２１に圧送するとともに、再生装置２１から排出されたカソード溶液を燃料電池１３に圧送する。
【００２６】
また、再生装置２１には、再生装置２１に空気を供給するための酸化剤ガス供給路Ｒ３０と、ＰＯＭの酸化反応に使用した空気を排出するための酸化剤ガス排出路Ｒ３１とが接続されている。酸化剤ガス供給路Ｒ３０には、エアコンプレッサＣと流量計３０が接続されている。流量計３０は、エアコンプレッサＣから酸化剤ガス供給路Ｒ３０を介して再生装置２１に供給される空気の流量を測定する。
【００２７】
エアコンプレッサＣは、酸化剤ガス供給路Ｒ３０を介し再生装置２１に空気を供給する。エアコンプレッサＣは、例えば車両の外部から、酸素（Ｏ２）を含む空気を取り込んで再生装置２１に圧送する。再生装置２１においてＰＯＭの酸化に使用された空気は酸化剤ガス排出路Ｒ３１から排出される。なお、エアコンプレッサＣは酸化剤ガスの供給装置の一例である。
【００２８】
ＥＣＵ１０は、制御装置の一例であり、不図示のＣＰＵ（Central Processing Unit）及びメモリなどを備え、燃料電池システムの動作を制御する。ＥＣＵ１０は、制御信号Ｓ１によりエアコンプレッサＣの動作を制御する。また、ＥＣＵ１０は、各種のセンサ類から通知信号Ｓ２〜Ｓ５を受信する。
【００２９】
流量計３０は、測定した流量を通知する通知信号Ｓ２をＥＣＵ１０に出力する。吸光度計２２は、測定した吸光度を通知する通知信号Ｓ３をＥＣＵ１０に出力する。ＯＲＰ計２０は、検出した酸化還元電位を通知する通知信号Ｓ４をＥＣＵ１０に出力する。電流センサＡｍは、測定した電流値を通知する通知信号Ｓ５をＥＣＵ１０に出力する。
【００３０】
ＥＣＵ１０は、燃料電池１３から再生装置２１に導入されるＰＯＭの酸化還元電位が０．９（Ｖ（ｖｓ．ＲＨＥ））以上である場合、エアコンプレッサＣに空気の供給を停止させる。より具体的には、ＥＣＵ１０は、ＯＲＰ計２０から入力された通知信号Ｓ４から酸化還元電位を取得し、酸化還元電位が０．９（Ｖ（ｖｓ．ＲＨＥ））以上である場合、空気の供給停止を指示する制御信号Ｓ１をエアコンプレッサＣに出力する。
【００３１】
このため、エアコンプレッサＣは、燃料電池１３から再生装置２１に導入されるＰＯＭの酸化還元電位が０．９（Ｖ（ｖｓ．ＲＨＥ））以上である場合、再生装置２１への空気の供給を停止する。再生装置２１は、以下に述べるように、導入されるＰＯＭの酸化還元電位が０．９（Ｖ（ｖｓ．ＲＨＥ））以上である場合、ＰＯＭの酸化効率が低下する。なお、ＲＨＥは、可逆水素電極（Reversible Hydrogen Electrode）を表す。
【００３２】
図２は、酸化還元電位に対する再生装置内の移動電荷量の変化の一例を示すグラフである。グラフの横軸は酸化還元電位（Ｖ（ｖｓ．ＲＨＥ））を示し、グラフの縦軸は酸化反応による移動電荷量（Ｃ）を示す。移動電荷量とは、酸化反応においてＰＯＭから酸素に移動する電子の量、つまり酸化電流を指す。なお、グラフは、再生装置２１の容量を１．５（L）とし、空気の供給量を０．５（L／min.）とした場合において、グラフの横軸に示す酸化還元電位を開始電位とし、空気を１０分間継続して再生装置２１に供給したときの実験結果を示す。
【００３３】
グラフから理解されるように、移動電荷量は、酸化還元電位が０．９（Ｖ（ｖｓ．ＲＨＥ））以上である場合、移動電荷量が非常に小さくなる。より具体的には、酸化還元電位が０．９（Ｖ（ｖｓ．ＲＨＥ））である場合、移動電荷量は１００（Ｃ）であり、酸化還元電位が０．９１（Ｖ（ｖｓ．ＲＨＥ））である場合、移動電荷量は３０（Ｃ）である。
【００３４】
このため、ＰＯＭの酸化効率は、酸化還元電位が０．９（Ｖ（ｖｓ．ＲＨＥ））以上になると極端に低下することがわかる。つまり、ＰＯＭは、酸化還元電位が０．９（Ｖ（ｖｓ．ＲＨＥ））以上になると、エアコンプレッサＣからの空気の供給量を増やしても酸化速度がほとんど変わらないと言える。これは、上記の再生装置２１の容量、空気の供給量、及び空気の供給時間の条件を変更した場合でも同様である。
【００３５】
図３は、酸化前の酸化還元電位に対する酸化後の酸化還元電位の基準電位に対する比の一例を示すグラフである。グラフの横軸は酸化前の酸化還元電位（Ｖ（ｖｓ．ＲＨＥ））を示し、グラフの縦軸は酸化後の酸化還元電位の基準電位に対する比（％）を示す。基準電位は、再生装置２１内の全てのＰＯＭが酸化された場合の酸化還元電位であり、一例として１．１（Ｖ（ｖｓ．ＲＨＥ））とする。このため、酸化後の酸化還元電位が１．１（Ｖ（ｖｓ．ＲＨＥ））であれば、基準電位に対する比は１００（％）となる。つまり、グラフの縦軸はＰＯＭの酸化率であると言える。
【００３６】
また、グラフ中の丸印は、横軸に示す酸化還元電位を開始電位とし、一定量の空気を１０分間継続して再生装置２１に供給したときの実験結果を示し、グラフ中の四角印は、酸化還元電位が開始電位から変化しないと仮定した場合の基準電位に対する比を示す。直線Ｌは、酸化効率が開始電位によらずに一定であると仮定した場合に、四角印が示す特性から得られる基準電位に対する比を示す。
【００３７】
酸化効率が開始電位によらずに一定であれば、酸化後の酸化還元電位は、直線Ｌに示されるように、酸化前の酸化還元電位が低いほど、低くなる。しかし、実際には、酸化後の酸化還元電位は、丸印で示されるように、酸化前の酸化還元電位によらず、ほとんど一定であることから、酸化効率は、酸化前の酸化還元電位が低いほど、高いと言える。つまり、酸化前の酸化還元電位をいくら増加させても酸化率は１００（％）には達しないが、酸化前の酸化還元電位が低いほど、酸化による酸化還元電位の増加幅が大きい。
【００３８】
例えば、酸化前の酸化還元電位が０．８（Ｖ（ｖｓ．ＲＨＥ））である場合、電位の増加幅は１０（％）未満であるが、酸化前の酸化還元電位が０．５３（Ｖ（ｖｓ．ＲＨＥ））である場合、電位の増加幅は２０（％）以上となる。このため、酸化還元電位が０．８（Ｖ（ｖｓ．ＲＨＥ））における酸化効率のほうが、酸化還元電位が０．５３（Ｖ（ｖｓ．ＲＨＥ））における酸化効率より高いと言える。
【００３９】
さらに、酸化前の酸化還元電位が０．９（Ｖ（ｖｓ．ＲＨＥ））以上である場合、電位の増加幅は実質的に０（％）となる。したがって、再生装置２１は、酸化効率からすると、酸化還元電位が０．９（Ｖ（ｖｓ．ＲＨＥ））より低いときに動作させることが望ましい。
【００４０】
このため、ＥＣＵ１０は、燃料電池１３から再生装置２１に導入されるＰＯＭの酸化還元電位が０．９（Ｖ（ｖｓ．ＲＨＥ））以上である場合、エアコンプレッサＣに空気の供給を停止させる。これにより、再生装置２１は、再生装置２１に導入されるＰＯＭの酸化還元電位が０．９（Ｖ（ｖｓ．ＲＨＥ））より低いときだけ、空気が供給されてＰＯＭを酸化する。
【００４１】
図４は、ＥＣＵ１０の動作の一例を示すフローチャートである。ＥＣＵ１０は、ＯＲＰ計２０の通知信号Ｓ４によりＰＯＭの酸化還元電位を検出する（ステップＳｔ１）。次に、ＥＣＵ１０は、酸化還元電位が０．９（Ｖ（ｖｓ．ＲＨＥ））以上であるか否かを判定する（ステップＳｔ２）。ＥＣＵ１０は、酸化還元電位が０．９（Ｖ（ｖｓ．ＲＨＥ））未満である場合（ステップＳｔ２のＮｏ）、再びステップＳｔ１の処理を実行する。なお、図４では、酸化還元電位の単位を単に「Ｖ」と表記している。
【００４２】
ＥＣＵ１０は、酸化還元電位が０．９（Ｖ（ｖｓ．ＲＨＥ））以上である場合（ステップＳｔ２のＹｅｓ）、エアコンプレッサＣに空気の供給を停止させる（ステップＳｔ３）。より具体的には、ＥＣＵ１０は、空気の供給停止を指示する制御信号Ｓ１をエアコンプレッサＣに出力する。
【００４３】
このため、エアコンプレッサＣは、燃料電池１３から再生装置２１に導入されるＰＯＭの酸化還元電位が０．９（Ｖ（ｖｓ．ＲＨＥ））以上である場合、再生装置２１への空気の供給を停止する。したがって、酸化効率の低い０．９（Ｖ（ｖｓ．ＲＨＥ））以上の酸化還元電位では、エアコンプレッサＣは再生装置２１に空気を供給せず、再生装置２１はＰＯＭの酸化処理を行わない。よって、燃料電池システムの電力の使用効率が向上する。
【００４４】
次に、ＥＣＵ１０は、ＯＲＰ計２０の通知信号Ｓ４によりＰＯＭの酸化還元電位を検出する（ステップＳｔ４）。なお、ＥＣＵ１０は、例えば周期的にＯＲＰ計２０から通知信号Ｓ４を受信する。
【００４５】
次に、ＥＣＵ１０は、酸化還元電位が０．９（Ｖ（ｖｓ．ＲＨＥ））未満であるか否かを判定する（ステップＳｔ５）。ＥＣＵ１０は、酸化還元電位が０．９（Ｖ（ｖｓ．ＲＨＥ））以上である場合（ステップＳｔ５のＮｏ）、再びステップＳｔ４の処理を実行する。
【００４６】
ＥＣＵ１０は、酸化還元電位が０．９（Ｖ（ｖｓ．ＲＨＥ））未満である場合（ステップＳｔ５のＹｅｓ）、エアコンプレッサＣに空気の供給を開始させる（ステップＳｔ６）。より具体的には、ＥＣＵ１０は、空気の供給開始を指示する制御信号Ｓ１をエアコンプレッサＣに出力する。
【００４７】
このため、エアコンプレッサＣは、燃料電池１３から再生装置２１に導入されるＰＯＭの酸化還元電位が０．９（Ｖ（ｖｓ．ＲＨＥ））未満である場合、再生装置２１への空気を供給する。したがって、酸化効率の高い０．９（Ｖ（ｖｓ．ＲＨＥ））未満の酸化還元電位では、再生装置２１はＰＯＭの酸化処理を行う。
【００４８】
このように、再生装置２１は、酸化還元電位が０．９（Ｖ（ｖｓ．ＲＨＥ））以上である場合、ＰＯＭの酸化処理を停止し、酸化還元電位が０．９（Ｖ（ｖｓ．ＲＨＥ））未満である場合、ＰＯＭの酸化処理を行う。酸化還元電位が０．９（Ｖ（ｖｓ．ＲＨＥ））以上である場合、カソード溶液内には酸化体のＰＯＭが多く含まれているため、燃料電池１３は、十分な量のＰＯＭを水素ガスにより還元して発電を行うことができる。
【００４９】
発電に伴い、カソード溶液内の酸化体のＰＯＭは徐々に減少し、還元体のＰＯＭ−Ｈが増加するため、酸化還元電位は低下する。そして、酸化還元電位が０．９（Ｖ（ｖｓ．ＲＨＥ））未満となった場合、再生装置２１はＰＯＭの酸化処理を開始するため、カソード溶液内の酸化体のＰＯＭは再び増加する。これにより、燃料電池１３は、高い発電量を維持することができる。
【００５０】
本実施例において、酸化還元電位の検出部としてＯＲＰ計２０を挙げたが、これに限定されない。例えば、ＯＲＰ計２０に代えて、ＯＣＶ（Open Cell Voltage）を測定するための小型のセル（つまり燃料電池）が設けられてもよい。さらに、燃料電池システムは、図１に示された他の構成を酸化還元電位の検出部として用いることも可能である。
【００５１】
ＥＣＵ１０は、例えば、電流センサＡｍから受信した通知信号Ｓ５と流量計３０から受信した通知信号Ｓ２から酸化還元電位を取得してもよい。この場合、ＥＣＵ１０は、例えばメモリなどのＥＣＵ１０内の記憶手段（不図示）に記憶された電位特性データベース（ＤＢ）１００を、通知信号Ｓ５の示す燃料電池１３の電流値と通知信号Ｓ２の示す空気の流量に基づき参照する。電位特性データベース（ＤＢ）１００には、例えば実験結果またシミュレーション結果から得られた燃料電池１３の電流値、空気の流量、及びＰＯＭの酸化還元電位の関係が登録されている。
【００５２】
このため、ＥＣＵ１０は、電位特性ＤＢ１００から、燃料電池１３の電流値と空気の流量に対応する酸化還元電位を検索することができる。このように、電流センサＡｍ、流量計３０、及び電位特性ＤＢ１００（ＥＣＵ１０）は、酸化還元電位の検出部として機能することができる。
【００５３】
また、ＥＣＵ１０は、例えば吸光度計２２から受信した通知信号Ｓ３から酸化還元電位を取得してもよい。吸光度計２２は、上述したように、カソード溶液を透過した光の量を測定して、通知信号Ｓ３によりＥＣＵ１０に通知する。
【００５４】
ＰＯＭは酸化度が高いほど透明になり、酸化度が下がるにしたがって透明度が低下する。このため、光の量が多いほど、カソード溶液内の酸化体のＰＯＭが多いことがわかり、光の量が少ないほど、カソード溶液内の酸化体のＰＯＭが少ないことがわかる。これにより、ＥＣＵ１０は、光の量から酸化還元電位を推定する。このように、吸光度計２２は、酸化還元電位の検出部として機能することができる。
【００５５】
このように、酸化還元電位の検出部としては様々な構成が挙げられるが、何れの構成を検出部として用いても、上述した内容と同様の効果は得られる。
【００５６】
上述した実施形態は本発明の好適な実施の例である。但し、これに限定されるものではなく、本発明の要旨を逸脱しない範囲内において種々変形実施可能である。
【符号の説明】
【００５７】
１０      ＥＣＵ（制御装置）
１３      燃料電池
２０      ＯＲＰ計
２１      再生装置
２２      吸光度計
３０      流量計
Ｃ      エアコンプレッサ（供給装置）
Ａｍ      電流センサ
【図１】
2018125083.tif 000003
【図２】
2018125083.tif 000004
【図３】
2018125083.tif 000005
【図４】
2018125083.tif 000006